(57)【要約】  音響特性を高めることができる平板スピーカを提供する。平板スピーカは、平板状の振動板と、振動板の裏面に取り付けられ、振動板を振動させるための駆動部と、振動板の外周部を周方向に亘って固定する固定部材と、固定部材よりも径方向内側に配置され、振動板の裏面を周方向に亘って支持し、固定部材よりも硬さの値が小さいおよび／または内部損失の値が大きい第１の支持部材と、第１の支持部材よりも径方向内側に配置され、振動板の裏面を周方向に亘って支持し、第１の支持部材よりも硬さの値が小さいおよび／または内部損失の値が大きい第２の支持部材と、を備える。
2018070399.tif 000002
【特許請求の範囲】
【請求項１】
平板状の振動板と、
前記振動板の裏面に取り付けられ、前記振動板を振動させるための駆動部と、
前記振動板の外周部を周方向に亘って固定する固定部材と、
前記固定部材よりも径方向内側に配置され、前記振動板の前記裏面を周方向に亘って支持し、前記固定部材よりも硬さの値が小さいおよび／または内部損失の値が大きい第１の支持部材と、
前記第１の支持部材よりも径方向内側に配置され、前記振動板の前記裏面を周方向に亘って支持し、前記第１の支持部材よりも硬さの値が小さいおよび／または内部損失の値が大きい第２の支持部材と、を備える、
平板スピーカ。
【請求項２】
平板状の振動板と、
前記振動板の裏面に取り付けられ、前記振動板を振動させるための駆動部と、
前記振動板の外周部を周方向に亘って固定する固定部材と、
前記固定部材よりも径方向内側に配置されるとともに、前記振動板の前記裏面の周方向に並んで配置され、前記裏面に接触して前記振動板を支持する第１の支持部材と、
前記第１の支持部材よりも径方向内側に配置されるとともに、前記振動板の前記裏面の周方向に並んで配置され、前記裏面に接触して前記振動板を支持し、前記第１の支持部材と前記裏面との接触面積よりも前記裏面との接触面積が小さく、前記第１の支持部材よりも硬さの値および／または内部損失の値が小さい第２の支持部材と、を備える、
平板スピーカ。
【請求項３】
前記平板スピーカは、さらに、前記振動板の振動が大きくなる腹に対応する位置に配置され、前記振動板の前記裏面を支持する第３の支持部材を備える、
請求項１又は２に記載の平板スピーカ。
【請求項４】
前記第１の支持部材および前記第２の支持部材の各々は、前記振動板の前記裏面の全周に亘って連続的に延びている、
請求項１に記載の平板スピーカ。
【請求項５】
前記第１の支持部材は、前記振動板の前記裏面の周方向に並んで配置されるとともに、それぞれが前記固定部材の内周部から先細り状に延びる複数の第１の支持体を有し、
前記第２の支持部材は、前記複数の第１の支持体の各々の先端からそれぞれ先細り状に延びる複数の第２の支持体を有する、
請求項２に記載の平板スピーカ。
【請求項６】
前記固定部材は、
箱形状を有し、前記駆動部、前記第１の支持部材、および前記第２の支持部材を内部に配置する筐体と、
前記筐体に形成され、前記筺体の内部と外部とを連通する音孔と、を有し、
前記平板スピーカは、さらに、前記筺体の内部に配置され、前記駆動部で発生した音を前記音孔に導くための音路を形成する隔壁を備える、
請求項１〜５のいずれか１項に記載の平板スピーカ。
【請求項７】
前記平板スピーカは、さらに、前記振動板と前記駆動部との間に挟持され、空気層を有する断熱部材を備える、
請求項１〜６のいずれか１項に記載の平板スピーカ。
【請求項８】
前記断熱部材は、
前記振動板の前記裏面に接触する第１の断熱板と、
前記第１の断熱板と間隔を置いて配置され、前記駆動部に接触する第２の断熱板と、
前記第１の断熱板と前記第２の断熱板とを接続し、前記第１の断熱板と前記第２の断熱板との間に前記空気層を形成するための接続部と、を備え、
前記第１の断熱板、前記第２の断熱板、および前記接続部は、互いに異なる材料で形成されている、
請求項７に記載の平板スピーカ。
【請求項９】
前記駆動部は複数設けられ、
前記平板スピーカは、さらに、
前記複数の駆動部を連結する連結板と、
前記連結板に第１の接触面積で接触する第１の端部と、前記振動板に前記第１の接触面積よりも小さい第２の接触面積で接触する第２の端部とを有し、前記連結板と前記振動板との間に挟持された伝達部と、を備える、
請求項１〜８のいずれか１項に記載の平板スピーカ。
【請求項１０】
請求項１〜９のいずれか１項に記載の平板スピーカを備える、
表示装置。
【発明の詳細な説明】
【技術分野】
【０００１】
本開示は、平板スピーカおよび平板スピーカを備えた表示装置に関する。
【背景技術】
【０００２】
液晶テレビジョン受像機等の表示装置には、平板スピーカが搭載されている場合がある。特許文献１の平板スピーカは、平板状の振動板と、振動板の裏面に取り付けられたエキサイタと、振動板の外周部を周方向に亘って固定する固定部材と、を備えている。振動板は、表示装置の表示パネルを構成する。エキサイタの振動が振動板に伝達されることにより、振動板から音が出力する。
【先行技術文献】
【特許文献】
【０００３】
【特許文献１】特開２００９−１００２２３号公報
【発明の概要】
【０００４】
本開示は、音響特性を高めることができる平板スピーカおよび平板スピーカを備えた表示装置を提供する。
【０００５】
本開示における平板スピーカは、平板状の振動板と、前記振動板の裏面に取り付けられ、前記振動板を振動させるための駆動部と、前記振動板の外周部を周方向に亘って固定する固定部材と、前記固定部材よりも径方向内側に配置され、前記振動板の前記裏面を周方向に亘って支持し、前記固定部材よりも硬さの値が小さいおよび／または内部損失の値が大きい第１の支持部材と、前記第１の支持部材よりも径方向内側に配置され、前記振動板の前記裏面を周方向に亘って支持し、前記第１の支持部材よりも硬さの値が小さいおよび／または内部損失の値が大きい第２の支持部材と、を備える。
【０００６】
本開示における表示装置は、前記平板スピーカを備える。
【０００７】
本開示における平板スピーカおよび表示装置によれば、音響特性を高めることができる。
【図面の簡単な説明】
【０００８】
【図１】図１は、実施の形態１における平板スピーカが搭載された表示装置の一例を模式的に示す斜視図である。
【図２】図２は、実施の形態１における平板スピーカの構成の一例を模式的に示す分解斜視図である。
【図３】図３は、実施の形態１における平板スピーカの構成の一例を模式的に示す平面図である。
【図４】図４は、実施の形態１における平板スピーカの構成の一例を模式的に示す断面図である。
【図５】図５は、実施の形態１における平板スピーカの駆動部の構成の一例を模式的に示す断面図である。
【図６】図６は、実施の形態１における平板スピーカの断熱部材の一例を模式的に示す分解斜視図である。
【図７】図７は、実施の形態２における平板スピーカの構成の一例を模式的に示す平面図である。
【図８】図８は、実施の形態２における平板スピーカの断熱部材の一例を模式的に示す分解斜視図である。
【図９】図９は、実施の形態３における平板スピーカの構成の一例を模式的に示す平面図である。
【図１０】図１０は、実施の形態３における平板スピーカの構成の一例を模式的に示す断面図である。
【図１１】図１１は、実施の形態４における平板スピーカの構成の一例を模式的に示す図である。
【発明を実施するための形態】
【０００９】
（本開示の基礎となった知見）
本願発明者は、特許文献１に開示されている技術に関し、以下の問題が生じることを見出した。
【００１０】
特許文献１に開示された平板スピーカの構造では、振動板の外周部の振動を十分に抑えることが難しい。そのため、エキサイタから振動板の外周部に向けて伝達する振動と、振動板の外周部で反射してエキサイタに向けて伝達する振動とを十分に相殺することができない場合がある。そのような場合、上述した両振動が相互に干渉することにより振動板が分割共振してしまい、平板スピーカの音響特性が低下する可能性がある。
【００１１】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００１２】
なお、添付図面および以下で説明する実施の形態は、当業者が本開示を十分に理解するために提供されるのであって、いずれも本開示の一例を示すものである。以下の実施の形態で示される数値、形状、材料、構成要素、構成要素の配置位置および接続形態、等は、一例であり、これらにより特許請求の範囲に記載の主題を限定することは意図されていない。また、以下の実施の形態における構成要素のうち、最上位概念を示す独立請求項に記載されていない構成要素は、独立請求項に示された構成要素に任意に付加可能な構成要素である。
【００１３】
また、各図は、必ずしも厳密に図示されたものではなく、本開示をわかりやすく示すために適宜省略等を行った模式図である。また、各図において、実質的に同じ構成要素については同じ符号を付し、説明を省略または簡略化する場合がある。
【００１４】
なお、以下の実施の形態では、各図面にＸ軸、Ｙ軸、Ｚ軸の３軸を示し、必要に応じて、ＸＹＺ軸を用いて説明を行う。本実施の形態では、便宜的に、表示パネル６の一辺に平行（実質的に平行）な方向をＸ軸方向とし、表示パネル６の当該一辺に直交する他辺に平行（実質的に平行）な方向をＹ軸方向とし、Ｘ軸およびＹ軸の双方に直交する方向をＺ軸方向とする。また、表示パネル６における画像の表示方向をＺ軸正方向とする。また、以下の説明では、Ｚ軸正方向に関して相対的に遠い方向を上、Ｚ軸負方向に関して相対的に遠い方向を下と表記する場合がある。しかし、これらの方向は便宜的に示す相対的なものであり、絶対的なものではない。また、これらの方向により本開示が限定されるものでもない。
【００１５】
（実施の形態１）
以下、図１〜図６を参照しながら、実施の形態１について説明する。
【００１６】
［１−１．平板スピーカの全体構成］
まず、図１〜図４を参照しながら、実施の形態１に係る平板スピーカ２の全体構成について説明する。
【００１７】
図１は、実施の形態１における平板スピーカ２が搭載された表示装置４の一例を模式的に示す斜視図である。
【００１８】
図２は、実施の形態１における平板スピーカ２の構成の一例を模式的に示す分解斜視図である。
【００１９】
図３は、実施の形態１における平板スピーカ２の構成の一例を模式的に示す平面図である。なお、図３には、振動板８（図２参照）を取り外した平板スピーカ２をＺ軸正方向側から見た平面図を示す。
【００２０】
図４は、実施の形態１における平板スピーカ２の構成の一例を模式的に示す断面図である。図４に示す断面図は、図３のＩＶ−ＩＶ線断面図である。
【００２１】
図１に示す表示装置４は、例えば液晶テレビジョン受像機である。表示装置４は、映像を表示するための表示パネル６を備えている。また、表示装置４には、表示パネル６を振動させることにより表示パネル６から音を出力させるための平板スピーカ２が搭載されている。これにより、表示装置４では、映像の位置と音源の位置とを空間的に一致させることができる。そのため、表示装置４は、表示パネル６に表示されている映像自体から音が聞こえてくるような印象を、表示装置４を視聴するユーザに与えることができ、ユーザに高い臨場感を与えることができる。
【００２２】
図２〜図４に示すように、実施の形態１に係る平板スピーカ２は、振動板８と、駆動部１０と、断熱部材１２と、固定部材１４と、第１の支持部材１６と、第２の支持部材１８と、複数（例えば、４つ）の第３の支持部材２０と、を備えている。なお、本実施の形態では、平板スピーカ２は密閉型のスピーカである。
【００２３】
振動板８は、Ｚ軸方向から見たときに矩形状かつＸ軸およびＹ軸の各方向から見たときに平板状に形成されている。振動板８は、上述した表示装置４の表示パネル６を構成する。なお、図１に示すように、表示パネル６を平面視したとき（表示パネル６を画像表示面側から見たとき）の形状は横長の長方形である。しかし、図２以降の各図面では、便宜的に、振動板８を平面視したとき（Ｚ軸正方向側から見たとき）の形状を正方形として図示している。
【００２４】
駆動部１０は、振動板８を振動させるためのアクチュエータ（いわゆる、エキサイタ）である。図４に示すように、駆動部１０は、振動板８の裏面（図４において下側の面、Ｚ軸負方向側の面）の中央部に、断熱部材１２を介して取り付けられている。駆動部１０の振動が振動板８に伝達することにより、振動板８が振動して、振動板８から音が出力される。駆動部１０の構成については後述する。
【００２５】
断熱部材１２は、駆動部１０から振動板８への熱の伝達を抑制するための部材である。図４に示すように、断熱部材１２は、振動板８と駆動部１０との間に挟持されている。断熱部材１２の構成については後述する。
【００２６】
固定部材１４は、振動板８の外周部８ａを全周に亘って固定するための部材である。なお、振動板８の外周部８ａの全周は、周方向の一例である。図２〜図４に示すように、固定部材１４は、上面（図４において上側の面、Ｚ軸正方向側の面）が開口された、平面視で（Ｚ軸正方向側から見たときに）矩形状の箱形状の筐体２１を有している。筐体２１は、底板部２２と、底板部２２の外周部に立設された側壁部２４と、を有し、上述した表示装置４のリアキャビネットを構成する。Ｚ軸正方向から見たときの側壁部２４の開口縁２４ａの大きさは、Ｚ軸正方向から見たときの振動板８の大きさと実質的に同じである。そして、側壁部２４の開口縁２４ａには、振動板８の外周部８ａが全周に亘って、例えば接着剤等の接着部材により、固定されている。これにより、振動板８の外周部８ａが固定部材１４の側壁部２４に固定され、固定部材１４の内部は密閉される。固定部材１４の内部には、駆動部１０、断熱部材１２、第１の支持部材１６、第２の支持部材１８、および複数の第３の支持部材２０が配置されている。固定部材１４を形成する材料は、振動板８の外周部８ａを固定できる比較的硬質のものであり、例えば樹脂等であるが、他の材料であってもよい。
【００２７】
第１の支持部材１６は、振動板８の裏面（Ｚ軸負方向側の面）を全周（周方向の一例）に亘って支持するための部材である。図２〜図４に示すように、第１の支持部材１６は、固定部材１４の底板部２２の上面（Ｚ軸正方向側の面）に配置されるとともに、固定部材１４の側壁部２４よりも径方向内側に配置されており、振動板８の裏面の全周に亘って連続的に延びている。第１の支持部材１６を平面視したとき（Ｚ軸正方向側から見たとき）の形状は、リングを矩形状にした形状である。
【００２８】
図４に示すように、第１の支持部材１６は、振動板８の裏面（Ｚ軸負方向側の面）および固定部材１４の底板部２２の上面（Ｚ軸正方向側の面）のそれぞれに、例えば接着剤等の接着部材（図示せず）により、固定されている。第１の支持部材１６は、固定部材１４よりも硬さの値が小さい（および／または内部損失の値が大きい）材料、言い換えると、固定部材１４よりもやわらかい材料、で形成されている。第１の支持部材１６を形成する材料は、例えば硬質のスポンジ、等であるが、他の材料であってもよい。第１の支持部材１６は、固定部材１４の側壁部２４の内周面に、例えば接着剤等の接着部材により、固定されていてもよい。
【００２９】
第２の支持部材１８は、振動板８の裏面（Ｚ軸負方向側の面）を全周（周方向の一例）に亘って支持するための部材である。図２〜図４に示すように、第２の支持部材１８は、固定部材１４の底板部２２の上面（Ｚ軸正方向側の面）に配置されるとともに、第１の支持部材１６よりも径方向内側に配置されており、振動板８の裏面の全周に亘って連続的に延びている。すなわち、第２の支持部材１８を平面視したとき（Ｚ軸正方向側から見たとき）の形状は、第１の支持部材１６と同様に、リングを矩形状にした形状である。
【００３０】
図４に示すように、第２の支持部材１８は、振動板８の裏面（Ｚ軸負方向側の面）および固定部材１４の底板部２２の上面（Ｚ軸正方向側の面）のそれぞれに、例えば接着剤等の接着部材（図示せず）により、固定されている。第２の支持部材１８は、第１の支持部材１６よりも硬さの値が小さい（および／または内部損失の値が大きい）材料、言い換えると、第１の支持部材１６よりもやわらかい材料、で形成されている。第２の支持部材１８を形成する材料は、例えば軟質のスポンジ、等であるが、他の材料であってもよい。第２の支持部材１８は、第１の支持部材１６の内周面に、例えば接着剤等の接着部材により、固定されていてもよい。
【００３１】
複数の第３の支持部材２０は、振動板８の裏面（Ｚ軸負方向側の面）を支持するための部材である。複数の第３の支持部材２０の各々は、図３に示すように、円弧状に形成されている。複数の第３の支持部材２０は、固定部材１４の底板部２２の上面（Ｚ軸正方向側の面）に配置されるとともに、第２の支持部材１８よりも径方向内側に配置されており、１つの円周上の周方向に、互いに間隔を空けて配置されている。具体的には、複数の第３の支持部材２０の各々は、振動板８の振動が大きくなる腹に対応する位置に配置されている。第３の支持部材２０を形成する材料は、例えば硬質または軟質のスポンジ、等であるが、他の材料であってもよい。
【００３２】
第３の支持部材２０は、振動板８の裏面（Ｚ軸負方向側の面）および固定部材１４の底板部２２の上面（Ｚ軸正方向側の面）のそれぞれに、例えば接着剤等の接着部材（図示せず）により、固定されていてもよい。
【００３３】
なお、実施の形態１では、第３の支持部材２０の数が４つである構成例を示しているが、第３の支持部材２０の数は何ら４つに限定されるものではなく、４以外の数でもよい。
【００３４】
［１−２．駆動部の構成］
次に、図５を参照しながら、駆動部１０の構成について説明する。
【００３５】
図５は、実施の形態１における平板スピーカ２の駆動部１０の構成の一例を模式的に示す断面図である。図５に示す断面図は、図３のＶ−Ｖ線断面図である。
【００３６】
図５に示すように、駆動部１０は、磁気回路２６と、ボビン２８と、ボイスコイル３０と、フランジ３２と、ダンパー３４と、を有している。
【００３７】
磁気回路２６は、ヨーク３６と、マグネット３８と、プレート４０と、を有している。これらのヨーク３６、マグネット３８、およびプレート４０の各々は、例えば鉄等の金属で形成され、円柱状または円板状に形成されている。ヨーク３６の下面（図５において下側の面、Ｚ軸負方向側の面）は、固定部材１４の底板部２２に接触している。ヨーク３６の上端部（図５において上側の端部、Ｚ軸正方向側の端部）には、マグネット３８およびプレート４０を配置するための凹部４２が形成されている。凹部４２は、平面視したとき（Ｚ軸正方向側から見たとき）に円形状、かつＺ軸負方向に窪んだ形状で、ヨーク３６の上端部に形成されている。マグネット３８およびプレート４０は、平面視したとき（Ｚ軸正方向側から見たとき）に円形状になるように形成されている。また、マグネット３８は、マグネット３８を平面視したとき（Ｚ軸正方向側から見たとき）の径が、凹部４２を平面視したとき（Ｚ軸正方向側から見たとき）の径よりも小さくなるように形成されており、プレート４０は、平面視したとき（Ｚ軸正方向側から見たとき）の径が、マグネット３８の径と実質的に同じになるように形成されている。そして、マグネット３８は、ヨーク３６の凹部４２のほぼ中央に配置され、マグネット３８の上面（Ｚ軸正方向側の面）にプレート４０が配置されている。そして、ヨーク３６の凹部４２の内周面とプレート４０の外周面との間には、磁気ギャップ４４が形成されている。
【００３８】
なお、ヨーク３６は、駆動部１０で発生した熱を放熱するための放熱板としても機能する。ヨーク３６の放熱効率を高めるために、ヨーク３６の下端部（図５において下側の端部、Ｚ軸負方向側の端部）に複数の放熱フィンを形成してもよい。あるいは、ボイスコイル３０で発生した熱を逃がすために、マグネット３８およびヨーク３６に、Ｚ軸方向に貫通する貫通孔を形成してもよい。
【００３９】
ボビン２８は、円筒状（Ｚ軸負方向側から見たときに円筒状）に形成され、マグネット３８およびプレート４０を外側から覆う位置に配置されている。ボビン２８の下端部（Ｚ軸負方向側の端部）には、ボイスコイル３０が巻かれている。ボビン２８は、ダンパー３４を介してフランジ３２に保持されている。この状態のときに、ボビン２８の下端部に巻かれたボイスコイル３０は、磁気ギャップ４４に配置されている。
【００４０】
フランジ３２は、ヨーク３６の上端部（Ｚ軸正方向側の端部）における外周部に取り付けられ、ボビン２８を外側から覆う位置に配置されている。
【００４１】
ダンパー３４は、リング状（Ｚ軸正方向側から見たときにリング状）に形成され、ボビン２８の外周面とフランジ３２との間に取り付けられている。ダンパー３４には、同心円状の複数の屈曲部（コルゲーション）が形成されている。
【００４２】
［１−３．断熱部材の構成］
次に、図５および図６を参照しながら、断熱部材１２の構成について説明する。
【００４３】
図６は、実施の形態１における平板スピーカ２の断熱部材１２の一例を模式的に示す分解斜視図である。
【００４４】
図５および図６に示すように、断熱部材１２は、第１の断熱板４６と、第２の断熱板４８と、複数の接続部５０と、を有している。断熱部材１２は、熱伝導率の比較的低い材料で形成されている。断熱部材１２を形成する材料は、例えば樹脂またはセラミック、等である。また、第１の断熱板４６、第２の断熱板４８、および複数の接続部５０は、互いに異なる材料で形成されている。
【００４５】
第１の断熱板４６は、Ｚ軸方向から見たときに円形の円板状に形成されている。第１の断熱板４６は、例えば接着剤等の接着部材により、振動板８の裏面（Ｚ軸負方向側の面）に接触（実質的に接触）して固定されている。
【００４６】
第２の断熱板４８は、Ｚ軸方向から見たときに円形の円板状に形成されている。第２の断熱板４８は、第１の断熱板４６の下側（Ｚ軸負方向側）に、第１の断熱板４６と間にＺ軸方向の間隔を空けて配置されている。そして、第２の断熱板４８は、駆動部１０のボビン２８の上端部（Ｚ軸正方向側の端部）に、例えば接着剤等の接着部材により、接触（実質的に接触）して固定されている。
【００４７】
複数の接続部５０の各々は、Ｚ軸方向から見たときに円弧状に形成されている。複数の接続部５０は、第１の断熱板４６の下面（Ｚ軸負方向側の面）と第２の断熱板４８の上面（Ｚ軸正方向側の面）との間に挟持されており、第１の断熱板４６と第２の断熱板４８とを互いに接続する。複数の接続部５０は、１つの円周上の周方向に、互いに間隔を空けて配置されている。そして、複数の接続部５０は、第１の断熱板４６および第２の断熱板４８の各々に、例えば接着剤等の接着部材により、固定されている。これにより、図５に示すように、第１の断熱板４６と第２の断熱板４８との間には、接続部５０の厚み（Ｚ軸方向の大きさ）に応じた空気層５２が形成される。なお、空気層５２は、互いに隣接する接続部５０と接続部５０との間を通して、断熱部材１２の外部と連通されている。
【００４８】
なお、本実施の形態では、接続部５０が円弧状に形成された構成例を示したが、本開示は何らこの構成例に限定されない。接続部５０は、例えば円柱状等に形成されてもよい。このような構成の場合、複数の接続部５０は、例えば千鳥状または格子状等の、任意の配置パターンで、第１の断熱板４６と第２の断熱板４８との間に配置されてもよい。
【００４９】
［１−４．効果］
以上のように、本実施の形態における平板スピーカは、平板状の振動板と、振動板の裏面に取り付けられ、振動板を振動させるための駆動部と、振動板の外周部を周方向に亘って固定する固定部材と、固定部材よりも径方向内側に配置され、振動板の裏面を周方向に亘って支持し、固定部材よりも硬さの値が小さいおよび／または内部損失の値が大きい第１の支持部材と、第１の支持部材よりも径方向内側に配置され、振動板の裏面を周方向に亘って支持し、第１の支持部材よりも硬さの値が小さいおよび／または内部損失の値が大きい第２の支持部材と、を備える。
【００５０】
なお、平板スピーカ２は平板スピーカの一例である。振動板８は振動板の一例である。駆動部１０は駆動部の一例である。固定部材１４は固定部材の一例である。第１の支持部材１６は第１の支持部材の一例である。第２の支持部材１８は第２の支持部材の一例である。
【００５１】
例えば、実施の形態１に示した平板スピーカ２は、平板状の振動板８と、振動板８の裏面に取り付けられ、振動板８を振動させるための駆動部１０と、振動板８の外周部８ａを周方向に亘って固定する固定部材１４と、固定部材１４よりも径方向内側に配置され、振動板８の裏面を周方向に亘って支持し、固定部材１４よりも硬さの値が小さいおよび／または内部損失の値が大きい第１の支持部材１６と、第１の支持部材１６よりも径方向内側に配置され、振動板８の裏面を周方向に亘って支持し、第１の支持部材１６よりも硬さの値が小さいおよび／または内部損失の値が大きい第２の支持部材１８と、を備える。
【００５２】
このように構成された平板スピーカ２では、第２の支持部材１８、第１の支持部材１６、および固定部材１４、の順に、硬さの値が増大および／または内部損失の値が減少する。これにより、駆動部１０から振動板８の外周部８ａに向けて伝達する振動が、第２の支持部材１８、第１の支持部材１６、および固定部材１４により徐々に吸収されるので、振動板８の外周部８ａで反射して駆動部１０に向けて伝達する振動が小さくなる。その結果、上述した両振動（駆動部１０から振動板８の外周部８ａに向けて伝達する振動、および振動板８の外周部８ａで反射して駆動部１０に向けて伝達する振動）を十分に相殺することができるので、振動板８の分割共振を抑制することができ、平板スピーカ２の音響特性を高める（周波数特性を平坦化する）ことができる。
【００５３】
当該平板スピーカは、振動板の振動が大きくなる腹に対応する位置に配置され、振動板の裏面を支持する第３の支持部材をさらに備えていてもよい。
【００５４】
なお、第３の支持部材２０は第３の支持部材の一例である。
【００５５】
例えば、実施の形態１に示した平板スピーカ２は、振動板８の振動が大きくなる腹に対応する位置に配置され、振動板８の裏面を支持する第３の支持部材２０をさらに備える。
【００５６】
このように構成された平板スピーカ２では、振動板８の二次共振等の発生を抑制することができ、平板スピーカ２の音響特性をより一層高めることができる。
【００５７】
当該平板スピーカにおいて、第１の支持部材および第２の支持部材の各々は、振動板の裏面の全周に亘って連続的に延びていてもよい。
【００５８】
例えば、実施の形態１に示した平板スピーカ２において、第１の支持部材１６および第２の支持部材１８の各々は、振動板８の裏面（Ｚ軸負方向側の面）の全周に亘って連続的に延びている。
【００５９】
このように構成された平板スピーカ２では、駆動部１０から振動板８の外周部８ａに向けて伝達する振動をより一層効果的に抑制することができる。
【００６０】
当該平板スピーカは、振動板と駆動部との間に挟持され、空気層を有する断熱部材をさらに備えていてもよい。
【００６１】
なお、空気層５２は空気層の一例である。断熱部材１２は断熱部材の一例である。
【００６２】
例えば、実施の形態１に示した平板スピーカ２は、振動板８と駆動部１０との間に挟持され、空気層５２を有する断熱部材１２を備える。
【００６３】
このように構成された平板スピーカ２では、駆動部１０で発生した熱は、断熱部材１２の空気層５２によって、振動板８へ伝達することが抑制される。その結果、駆動部１０と振動板８との間の断熱効果を高めることができる。特に、表示装置４の表示パネル６が振動板８として用いられる構成の場合には、上述の構成により駆動部１０で発生した熱が表示パネル６へ伝達することが抑制されるので、表示パネル６が駆動部１０からの熱により劣化するのを抑制することができる。なお、駆動部１０で発生した熱は、例えば、ヨーク３６に伝達されてヨーク３６から放熱される。
【００６４】
当該平板スピーカにおいて、断熱部材は、振動板の裏面に接触する第１の断熱板と、第１の断熱板と間隔を置いて配置され、駆動部に接触する第２の断熱板と、第１の断熱板と第２の断熱板とを接続し、第１の断熱板と第２の断熱板との間に空気層を形成するための接続部と、を備えてもよい。第１の断熱板、第２の断熱板、および接続部は、互いに異なる材料で形成されていてもよい。
【００６５】
なお、第１の断熱板４６は第１の断熱板の一例である。第２の断熱板４８は第２の断熱板の一例である。接続部５０は接続部の一例である。
【００６６】
例えば、実施の形態１に示した平板スピーカ２において、断熱部材１２は、振動板８の裏面に接触する第１の断熱板４６と、第１の断熱板４６と間隔を置いて配置され、駆動部１０に接触する第２の断熱板４８と、第１の断熱板４６と第２の断熱板４８とを接続し、第１の断熱板４６と第２の断熱板４８との間に空気層５２を形成するための接続部５０と、を備える。第１の断熱板４６、第２の断熱板４８、および接続部５０は、互いに異なる材料で形成されている。
【００６７】
このように構成された平板スピーカ２では、第１の断熱板４６、第２の断熱板４８、および接続部５０は、互いに異なる材料で形成されているので、第２の断熱板４８からの熱が接続部５０へ伝達し難くなり、かつ、接続部５０からの熱が第１の断熱板４６へ伝達し難くなる。その結果、駆動部１０から振動板８への熱の伝達をより一層効果的に抑制することができる。
【００６８】
また、本実施の形態における表示装置は、当該平板スピーカを備える。
【００６９】
なお、表示装置４は表示装置の一例である。
【００７０】
例えば、実施の形態１における表示装置４は、上述したいずれかの平板スピーカ２を備える。
【００７１】
これにより、音響特性の高い平板スピーカ２を搭載した表示装置４を提供することができる。
【００７２】
（実施の形態２）
次に、図７および図８を参照しながら、実施の形態２について説明する。なお、実施の形態２を含む以下の実施の形態において、実施の形態１で説明した構成要素と実質的に同じ構成要素には、その構成要素と同じ符号を付与し、説明を省略する。
【００７３】
［２−１．平板スピーカの構成］
図７および図８を参照しながら、実施の形態２に係る平板スピーカ２Ａの構成について説明する。
【００７４】
図７は、実施の形態２における平板スピーカ２Ａの構成の一例を模式的に示す平面図である。図７には、振動板８（図２参照）を取り外した平板スピーカ２ＡをＺ軸正方向側から見た平面図を示す。
【００７５】
図８は、実施の形態２における平板スピーカ２Ａの断熱部材１２Ａの一例を模式的に示す分解斜視図である。
【００７６】
実施の形態２における平板スピーカ２Ａの構成は、実施の形態１で説明した平板スピーカ２の構成と実質的に同じであるので、詳細な説明は省略する。ただし、実施の形態２の平板スピーカ２Ａは、図７に示すように、平板スピーカ２Ａが備える第１の支持部材１６Ａ、第２の支持部材１８Ａ、および複数の第３の支持部材２０Ａの各構成が、実施の形態１で説明した平板スピーカ２が備える第１の支持部材１６、第２の支持部材１８、および複数の第３の支持部材２０の各構成と異なっている。
【００７７】
第１の支持部材１６Ａは、実施の形態１の第１の支持部材１６と同様に、振動板８（図７には示さず）の裏面（Ｚ軸負方向側の面）を支持するための部材である。第１の支持部材１６Ａは、振動板８の裏面（Ｚ軸負方向側の面）の周方向に並んで配置された複数の第１の支持体５４を有している。複数の第１の支持体５４の各々は、Ｚ軸方向から見たときに、例えば台形状に形成されている。そして、複数の第１の支持体５４の各々は、Ｚ軸方向から見たときに底辺（下底）にあたる部分が固定部材１４の側壁部２４の内周面に接触（実質的に接触）し、かつ隣り合う第１の支持体５４と底辺（下底）の端同士が互いに接触（実質的に接触）するようにして配置されている。そして、複数の第１の支持体５４の各々は、固定部材１４の側壁部２４の内周部から先細り状に延びている。
【００７８】
第１の支持体５４は、振動板８の裏面（Ｚ軸負方向側の面）および固定部材１４の底板部２２の上面（Ｚ軸正方向側の面）のそれぞれに、例えば接着剤等の接着部材により、固定されていてもよい。複数の第１の支持体５４の各々は、固定部材１４の側壁部２４の内周面に、例えば接着剤等の接着部材により、固定されていてもよい。
【００７９】
第２の支持部材１８Ａは、実施の形態１の第２の支持部材１８と同様に、振動板８（図７には示さず）の裏面（Ｚ軸負方向側の面）を支持するための部材である。第２の支持部材１８Ａは、振動板８の裏面（Ｚ軸負方向側の面）の周方向に並んで配置された複数の第２の支持体５６を有している。複数の第２の支持体５６の各々は、Ｚ軸方向から見たときに、例えば三角形状に形成されるとともに、その底辺の長さが、第１の支持体５４の上底の長さと実質的に同じになるように形成されている。そして、複数の第２の支持体５６の各々は、Ｚ軸方向から見たときに底辺にあたる部分が、複数の第１の支持体５４の各々の上底にあたる部分に接触（実質的に接触）するようにして配置され、複数の第１の支持体５４の各々の先端から先細り状に延びている。これにより、一体となった１つの第１の支持体５４と１つの第２の支持体５６とは、Ｚ軸方向から見たときに、全体として１つの三角形状を形成する。
【００８０】
第２の支持体５６は、振動板８の裏面（Ｚ軸負方向側の面）および固定部材１４の底板部２２の上面（Ｚ軸正方向側の面）のそれぞれに、例えば接着剤等の接着部材により、固定されていてもよい。複数の第２の支持体５６の各々は、複数の第１の支持体５４の各々に、例えば接着剤等の接着部材により、固定されていてもよい。
【００８１】
第１の支持体５４および第２の支持体５６は、互いに同じ硬さの値（および／または互いに同じ内部損失の値）を有する材料（例えば、硬質のスポンジ、等）により一体的に形成されていてもよい。一方、第１の支持体５４と振動板８との接触面積（実質的な接触面積）は、第２の支持体５６と振動板８との接触面積（実質的な接触面積）よりも大きい。これにより、第１の支持部材１６Ａの全体の硬さの値（および／または内部損失の値）は、第２の支持部材１８Ａの全体の硬さ（および／または内部損失の値）の値よりも大きくなる。このように、本実施の形態においては、第１の支持体５４および第２の支持体５６は、必ずしも互いに異なる材料で形成されなくてもよい。第１の支持体５４および第２の支持体５６を、互いに同じ材料で形成し、かつ、一体となった１つの第１の支持体５４と１つの第２の支持体５６とで、Ｚ軸方向から見たときに全体として１つの三角形状となるように形成してもよい。
【００８２】
複数（例えば、４つ）の第３の支持部材２０Ａは、実施の形態１に示した第３の支持部材２０と同様に、振動板８の裏面（Ｚ軸負方向側の面）を支持するための部材である。ただし、複数の第３の支持部材２０Ａの各々は、実施の形態１に示した第３の支持部材２０とは異なり、直線状に形成されている。複数の第３の支持部材２０Ａの各々は、固定部材１４の底板部２２の上面（Ｚ軸正方向側の面）において、第２の支持部材１８Ａよりも径方向内側に配置されており、駆動部１０を中心として放射状に配置されている。複数の第３の支持部材２０Ａは、実施の形態１に示した第３の支持部材２０と同様に、振動板８の振動が大きくなる腹に対応する位置に配置されている。複数の第３の支持部材２０Ａの各々は、例えば硬質または軟質のスポンジ、等で形成されている。
【００８３】
第３の支持部材２０Ａは、振動板８の裏面（Ｚ軸負方向側の面）および固定部材１４の底板部２２の上面（Ｚ軸正方向側の面）のそれぞれに、例えば接着剤等の接着部材（図示せず）により、固定されていてもよい。
【００８４】
さらに、実施の形態２における平板スピーカ２Ａでは、図８に示すように、断熱部材１２Ａの構成が、実施の形態１に示した断熱部材１２の構成と異なっている。断熱部材１２Ａの接続部５０Ａは、実施の形態１に示した接続部５０と異なり、リング状に形成されている。接続部５０Ａは、第１の断熱板４６の下面（Ｚ軸負方向側の面）と第２の断熱板４８の上面（Ｚ軸正方向側の面）との間に挟持されており、第１の断熱板４６と第２の断熱板４８とを互いに接続する。これにより、第１の断熱板４６と第２の断熱板４８との間には空気層５２Ａが形成される。なお、空気層５２Ａは、第１の断熱板４６、第２の断熱板４８および接続部５０Ａにより囲まれているため、断熱部材１２Ａの外部から密閉されている。
【００８５】
なお、実施の形態２では、第３の支持部材２０Ａの数が４つである構成例を示しているが、第３の支持部材２０Ａの数は何ら４つに限定されるものではなく、４以外の数でもよい。
【００８６】
［２−２．効果］
以上のように、本実施の形態における平板スピーカは、平板状の振動板と、振動板の裏面に取り付けられ、振動板を振動させるための駆動部と、振動板の外周部を周方向に亘って固定する固定部材と、固定部材よりも径方向内側に配置されるとともに、振動板の裏面の周方向に並んで配置され、当該裏面に接触して振動板を支持する第１の支持部材と、第１の支持部材よりも径方向内側に配置されるとともに、振動板の裏面の周方向に並んで配置され、当該裏面に接触して振動板を支持し、第１の支持部材と当該裏面との接触面積よりも当該裏面との接触面積が小さく、前記第１の支持部材よりも硬さの値および／または内部損失の値が小さい第２の支持部材と、を備える。
【００８７】
なお、平板スピーカ２Ａは平板スピーカの一例である。振動板８は振動板の一例である。駆動部１０は駆動部の一例である。固定部材１４は固定部材の一例である。第１の支持部材１６Ａは第１の支持部材の一例である。第２の支持部材１８Ａは第２の支持部材の一例である。
【００８８】
例えば、実施の形態２に示した平板スピーカ２Ａは、平板状の振動板８と、振動板８の裏面に取り付けられ、振動板８を振動させるための駆動部１０と、振動板８の外周部を周方向に亘って固定する固定部材１４と、固定部材１４よりも径方向内側に配置されるとともに、振動板８の裏面の周方向に並んで配置され、当該裏面に接触して振動板８を支持する第１の支持部材１６Ａと、第１の支持部材１６Ａよりも径方向内側に配置されるとともに、振動板８の裏面の周方向に並んで配置され、当該裏面に接触して振動板８を支持し、第１の支持部材１６Ａと当該裏面との接触面積よりも、当該裏面との接触面積が小さい第２の支持部材１８Ａと、を備える。
【００８９】
このように構成された平板スピーカ２Ａでは、第２の支持部材１８Ａ、第１の支持部材１６Ａ、および固定部材１４、の順に、硬さの値および／または内部損失の値が増大する。これにより、駆動部１０から振動板８の外周部８ａに向けて伝達する振動が、第２の支持部材１８Ａ、第１の支持部材１６Ａ、および固定部材１４により徐々に吸収されるので、振動板８の外周部８ａで反射して駆動部１０に向けて伝達する振動が小さくなる。その結果、実施の形態１に示した平板スピーカ２と同様に、上述した両振動（駆動部１０から振動板８の外周部８ａに向けて伝達する振動、および振動板８の外周部８ａで反射して駆動部１０に向けて伝達する振動）を十分に相殺することができるので、振動板８の分割共振を抑制することができ、平板スピーカ２Ａの音響特性を高める（周波数特性を平坦化する）ことができる。
【００９０】
当該平板スピーカは、振動板の振動が大きくなる腹に対応する位置に配置され、振動板の裏面を支持する第３の支持部材をさらに備えていてもよい。
【００９１】
なお、第３の支持部材２０Ａは第３の支持部材の一例である。
【００９２】
例えば、実施の形態２に示した平板スピーカ２Ａは、振動板８の振動が大きくなる腹に対応する位置に配置され、振動板８の裏面を支持する第３の支持部材２０Ａをさらに備える。
【００９３】
このように構成された平板スピーカ２Ａでは、振動板８の二次共振等の発生を抑制することができ、平板スピーカ２Ａの音響特性をより一層高めることができる。
【００９４】
当該平板スピーカにおいて、第１の支持部材は、振動板の裏面の周方向に並んで配置されるとともに、それぞれが固定部材の内周部から先細り状に延びる複数の第１の支持体を有していてもよい。第２の支持部材は、複数の第１の支持体の各々の先端からそれぞれ先細り状に延びる複数の第２の支持体を有していてもよい。
【００９５】
なお、第１の支持体５４は第１の支持体の一例である。第２の支持体５６は第２の支持体の一例である。
【００９６】
例えば、実施の形態２に示した平板スピーカ２Ａにおいて、第１の支持部材１６Ａは、振動板８の裏面の周方向に並んで配置されるとともに、それぞれが固定部材１４の内周部から先細り状に延びる複数の第１の支持体５４を有する。第２の支持部材１８Ａは、複数の第１の支持体５４の各々の先端からそれぞれ先細り状に延びる複数の第２の支持体５６を有する。
【００９７】
このように構成された平板スピーカ２Ａでは、第２の支持部材１８Ａ、第１の支持部材１６Ａ、および固定部材１４、の順に、硬さの値および／または内部損失の値が増大する。これにより、駆動部１０から振動板８の外周部８ａに向けて伝達する振動が、第２の支持部材１８Ａ、第１の支持部材１６Ａ、および固定部材１４により徐々に吸収される。その結果、実施の形態１に示した平板スピーカ２と同様に、平板スピーカ２Ａの音響特性を高めることができる。
【００９８】
（実施の形態３）
次に、図９および図１０を参照しながら、実施の形態３について説明する。
【００９９】
［３−１．平板スピーカの構成］
図９および図１０を参照しながら、実施の形態３に係る平板スピーカ２Ｂの構成について説明する。
【０１００】
図９は、実施の形態３における平板スピーカ２Ｂの構成の一例を模式的に示す平面図である。図９には、振動板８（図２参照）を取り外した平板スピーカ２ＢをＺ軸正方向側から見た平面図を示す。
【０１０１】
図１０は、実施の形態３における平板スピーカ２Ｂの構成の一例を模式的に示す断面図である。図１０に示す断面図は、図９のＸ−Ｘ線断面図である。なお、図１０では、便宜的に、駆動部１０を簡略化して図示している。
【０１０２】
実施の形態３における平板スピーカ２Ｂを構成する構成要素は、実施の形態１で説明した平板スピーカ２の構成要素と大部分で共通しているので、詳細な説明は省略する。ただし、実施の形態１で説明した平板スピーカ２および実施の形態２で説明した平板スピーカ２Ａが密閉型のスピーカであるのに対して、実施の形態３に係る平板スピーカ２Ｂは、振動板８の背面音を外部へ放出する音孔５８（開口部）を有するスピーカである点が異なる。
【０１０３】
また、駆動部１０の配置位置も、平板スピーカ２Ｂと、実施の形態１で説明した平板スピーカ２とで異なる。平板スピーカ２Ｂにおいて、駆動部１０は、例えば、Ｙ軸に平行なＸ軸負方向側の第２の支持部材１８の近傍に配置されている。
【０１０４】
図９および図１０に示すように、固定部材１４Ｂの筐体２１Ｂの底板部２２Ｂには、平面視したとき（Ｚ軸方向から見たとき）に円形状の音孔５８が、例えば駆動部１０と同程度の大きさで、形成されている。音孔５８は、筐体２１Ｂの内部と外部とを相互に連通するためのポートである。
【０１０５】
平板スピーカ２Ｂにおいて、音孔５８は、駆動部１０から離れた位置、例えば、Ｙ軸に平行なＸ軸正方向側の第２の支持部材１８の近傍に設けられている。
【０１０６】
また、筐体２１Ｂの内部には、音路６２を形成するための複数の隔壁６０が配置されている。複数の隔壁６０は、振動板８の裏面（Ｚ軸負方向側の面）および固定部材１４Ｂの底板部２２Ｂの上面（Ｚ軸正方向側の面）のそれぞれに、例えば接着剤等の接着部材により、固定されている。複数の隔壁６０の各々は、例えばスポンジまたは樹脂、等で形成されている。これらの複数の隔壁６０によって、筐体２１Ｂの内部には、駆動部１０で発生した音を音孔５８に導くための音路６２が形成される。図９に示すように、音路６２は、例えば駆動部１０から音孔５８まで蛇行状に延びている。
【０１０７】
なお、平板スピーカ２Ｂにおいて、駆動部１０および音孔５８の配置位置、音孔５８の大きさ、および隔壁６０の数と配置位置は、何ら図９に示した構成に限定されない。駆動部１０および音孔５８の配置位置、音孔５８の大きさ、および隔壁６０の数と配置位置は、平板スピーカ２Ｂにおける仕様および音響特性等に応じて、適切に設定されればよい。
【０１０８】
［３−２．効果］
以上のように、本実施の形態における平板スピーカにおいて、固定部材は、箱形状を有し、駆動部、第１の支持部材、および第２の支持部材を内部に配置する筐体と、筐体に形成され、筺体の内部と外部とを連通する音孔と、を有してもよい。平板スピーカは、さらに、筺体の内部に配置され、駆動部で発生した音を音孔に導くための音路を形成する隔壁を備えてもよい。
【０１０９】
なお、平板スピーカ２Ｂは平板スピーカの一例である。固定部材１４Ｂは固定部材の一例である。筐体２１Ｂは筐体の一例である。音孔５８は音孔の一例である。音路６２は音路の一例である。隔壁６０は隔壁の一例である。
【０１１０】
例えば、実施の形態３に示した平板スピーカ２Ｂにおいて、固定部材１４Ｂは、箱形状を有し、駆動部１０、第１の支持部材１６、および第２の支持部材１８を内部に配置する筐体２１Ｂと、筐体２１Ｂに形成され、筐体２１Ｂの内部と外部とを連通する音孔５８と、を有する。平板スピーカ２Ｂは、さらに、筐体２１Ｂの内部に配置され、駆動部１０で発生した音を音孔５８に導くための音路６２を形成する隔壁６０を備える。
【０１１１】
このように構成された平板スピーカ２Ｂでは、駆動部１０で発生した音は、音路６２を伝搬した後に、音孔５８を通して筐体２１Ｂの外部に放出される。その結果、平板スピーカ２Ｂにおいて、低音域を効率良く再生することができる。
【０１１２】
（実施の形態４）
次に、図１１を参照しながら、実施の形態４について説明する。
【０１１３】
［４−１．平板スピーカの構成］
図１１を参照しながら、実施の形態４に係る平板スピーカ２Ｃの構成について説明する。
【０１１４】
図１１は、実施の形態４における平板スピーカ２Ｃの構成の一例を模式的に示す図である。図１１の（ａ）は、実施の形態４における平板スピーカ２Ｃを示す断面図であり、図１１の（ｂ）は、実施の形態４における平板スピーカ２Ｃが備える複数の駆動部１０、連結板６４、および伝達部６６を抜き出して示す平面図（Ｚ軸正方向側から見た平面図）である。
【０１１５】
実施の形態４に係る平板スピーカ２Ｃの構成は、実施の形態１で説明した平板スピーカ２の構成と実質的に同じであるので、詳細な説明は省略する。ただし、実施の形態４の平板スピーカ２Ｃは、複数の駆動部１０を近接させて一つにまとめたタイプのスピーカである点が、他の実施の形態に示した平板スピーカと異なる。
【０１１６】
図１１の（ａ）および（ｂ）に示すように、実施の形態４に係る平板スピーカ２Ｃは、複数（例えば、４個）の駆動部１０を有する。複数の駆動部１０は、周方向に並んで配置されている。また、複数の駆動部１０は、平面視で（Ｚ軸方向から見たときに）円形状に形成され、かつ平板状に形成された連結板６４により、相互に連結されている。これにより、複数の駆動部１０は、見掛け上、１つの駆動部と見なすことができる。連結板６４は、例えば樹脂等で形成されている。
【０１１７】
連結板６４と振動板８との間には、複数の駆動部１０の各々の振動を振動板８に伝達させるための伝達部６６が挟持されている。伝達部６６は、Ｚ軸正方向に向かって徐々に直径が小さくなる円錐台形状に形成されている。伝達部６６は、例えば樹脂等で形成されている。
【０１１８】
伝達部６６の第１の端部６６ａ（図１１の（ａ）において下側（Ｚ軸負方向側）の端部）は、連結板６４の上面（Ｚ軸正方向側の面）に、第１の接触面積で接触している。一方、伝達部６６の第２の端部６６ｂ（図１１の（ａ）において上側（Ｚ軸正方向側）の端部）は、振動板８の裏面（Ｚ軸負方向側の面）に、第１の接触面積よりも小さい第２の接触面積で接触している。
【０１１９】
［４−２．効果］
以上のように、本実施の形態における平板スピーカにおいて、駆動部は複数設けられていてもよい。平板スピーカは、さらに、複数の駆動部を連結する連結板を備えていてもよい。平板スピーカは、さらに、連結板に第１の接触面積で接触する第１の端部と、振動板に第１の接触面積よりも小さい第２の接触面積で接触する第２の端部とを有し、連結板と振動板との間に挟持された伝達部を備えていてもよい。
【０１２０】
なお、平板スピーカ２Ｃは平板スピーカの一例である。連結板６４は連結板の一例である。第１の端部６６ａは第１の端部の一例である。第２の端部６６ｂは第２の端部の一例である。伝達部６６は伝達部の一例である。
【０１２１】
例えば、実施の形態４に示した平板スピーカ２Ｃには、駆動部１０は複数（例えば、４個）設けられている。平板スピーカ２Ｃは、さらに、複数の駆動部１０を連結する連結板６４を備える。平板スピーカ２Ｃは、さらに、連結板６４に第１の接触面積で接触する第１の端部６６ａと、振動板８に第１の接触面積よりも小さい第２の接触面積で接触する第２の端部６６ｂとを有し、連結板６４と振動板８との間に挟持された伝達部６６を備える。
【０１２２】
このように構成された平板スピーカ２Ｃでは、複数の駆動部１０が連結板６４により相互に連結されているので、例えば複数の駆動部１０の各々のマグネット３８（図５参照）の厚み（Ｚ軸方向の大きさ）を小さくした場合であっても、複数の駆動部１０全体の出力を大きく保つことができる。
【０１２３】
また、仮に、平板スピーカ２Ｃにおいて、伝達部６６が設けられておらず、連結板６４が振動板８の裏面（Ｚ軸負方向側の面）に直接的に接触しているとすると、連結板６４と振動板８との接触面積が相対的に大きくなるため、複数の駆動部１０の各々からの音が、高周波数域で干渉してしまう可能性がある。
【０１２４】
しかしながら、本実施の形態における平板スピーカ２Ｃでは、連結板６４と振動板８との間に伝達部６６を挟持させることにより、連結板６４が、振動板８の裏面（Ｚ軸負方向側の面）に、直接的に接触するのではなく、伝達部６６を介して間接的に接触する。また、連結板６４に接触する伝達部６６と振動板８との接触面積を、連結板６４が振動板８の裏面（Ｚ軸負方向側の面）に直接的に接触した場合よりも、小さくすることができる。これにより、平板スピーカ２Ｃでは、複数の駆動部１０の各々からの音が高周波数域で相互に干渉するのを抑制することができる。その結果、平板スピーカ２Ｃにおいて高音域を効率良く再生することができる。
【０１２５】
（他の実施の形態）
以上のように、本出願において開示する技術の例示として、実施の形態１〜４を説明した。しかしながら、本開示における技術は、これに限定されず、変更、置き換え、付加、省略等を行った実施の形態にも適用できる。また、上記実施の形態１〜４で説明した各構成要素を組み合わせて、新たな実施の形態とすることも可能である。
【０１２６】
そこで、以下、他の実施の形態を例示する。
【０１２７】
実施の形態１〜４では、平板スピーカ２（２Ａ、２Ｂ、２Ｃ）が搭載された表示装置４を液晶テレビジョン受像機で構成する例を示したが、本開示は何らこの構成例に限定されない。表示装置４は、例えば、有機ＥＬ（Ｅｌｅｃｔｒｏ  Ｌｕｍｉｎｅｓｃｅｎｃｅ）ディスプレイ、車載用のディスプレイ、パーソナルコンピュータ用の液晶ディスプレイ、タブレット端末、またはスマートフォン、等で構成されてもよい。
【０１２８】
実施の形態１〜４では、断熱部材１２（１２Ａ）が、第１の断熱板４６、第２の断熱板４８、および接続部５０（５０Ａ）を有する構成例を示したが、本開示は何らこの構成例に限定されない。例えば、これらのうちの第１の断熱板４６は省略されてもよい。
【０１２９】
実施の形態１〜４では、固定部材１４（１４Ｂ）が樹脂で形成された構成例を示したが、本開示は何らこの構成例に限定されない。固定部材１４（１４Ｂ）は、例えば、金属、木材、ゴム、またはスポンジ等の、種々の材料で形成されてもよい。
【０１３０】
実施の形態１、３および４では、第１の支持部材１６および第２の支持部材１８が、振動板８の裏面（Ｚ軸負方向側の面）の周方向に亘って連続的に配置された構成例を示したが、本開示は何らこの構成例に限定されない。第１の支持部材１６および第２の支持部材１８は、複数の第１の支持部材１６の配置密度が、複数の第２の支持部材１８の配置密度よりも高くなるように、振動板８の裏面の周方向に亘って離散的に配置されてもよい。
【０１３１】
実施の形態１〜４では、固定部材１４（１４Ｂ）が箱形状に形成された構成例を示したが、本開示は何らこの構成例に限定されない。固定部材１４（１４Ｂ）は、例えば枠状に形成されてもよい。
【０１３２】
実施の形態１〜４では、第１の支持部材１６（１６Ａ）および第２の支持部材１８（１８Ａ）の各々がスポンジで形成された構成例を示したが、本開示は何らこの構成例に限定されない。第１の支持部材１６（１６Ａ）および第２の支持部材１８（１８Ａ）の各々は、例えば、樹脂またはゴム等で形成されてもよい。
【０１３３】
実施の形態１〜４では、固定部材１４（１４Ｂ）の底壁部２２（２２Ｂ）の上面（Ｚ軸正方向側の面）において、固定部材１４（１４Ｂ）の側壁部２４よりも径方向内側に、第１の支持部材１６（１６Ａ）および第２の支持部材１８（１８Ａ）で形成された２層の支持部材構造が配置された構成例を示した。しかし、本開示は何らこの構成例に限定されない。例えば、３層の支持部材構造または４層以上の支持部材構造が、固定部材１４（１４Ｂ）の底板部２２（２２Ｂ）の上面（Ｚ軸正方向側の面）の、側壁部２４よりも径方向内側に配置されてもよい。
【０１３４】
実施の形態１〜４では、第１の断熱板４６、第２の断熱板４８、および複数の接続部５０（５０Ａ）が互いに異なる材料で形成された構成例を示したが、本開示は何らこの構成例に限定されない。例えば、第１の断熱板４６、第２の断熱板４８、および複数の接続部５０（５０Ａ）は、同一の材料で形成されてもよい。
【０１３５】
以上のように、本開示における技術の例示として、実施の形態を説明した。そのために、添付図面および詳細な説明を提供した。
【０１３６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１３７】
また、上述の実施の形態は、本開示における技術を例示するためのものであるから、特許請求の範囲またはその均等の範囲において種々の変更、置き換え、付加、省略などを行うことができる。
【産業上の利用可能性】
【０１３８】
本開示は、例えば液晶テレビジョン受像機等の表示装置に搭載される平板スピーカに適用可能である。
【符号の説明】
【０１３９】
２，２Ａ，２Ｂ，２Ｃ    平板スピーカ
４    表示装置
６    表示パネル
８    振動板
８ａ    外周部
１０    駆動部
１２，１２Ａ    断熱部材
１４，１４Ｂ    固定部材
１６，１６Ａ    第１の支持部材
１８，１８Ａ    第２の支持部材
２０，２０Ａ    第３の支持部材
２１，２１Ｂ    筐体
２２，２２Ｂ    底板部
２４    側壁部
２４ａ    開口縁
２６    磁気回路
２８    ボビン
３０    ボイスコイル
３２    フランジ
３４    ダンパー
３６    ヨーク
３８    マグネット
４０    プレート
４２    凹部
４４    磁気ギャップ
４６    第１の断熱板
４８    第２の断熱板
５０，５０Ａ    接続部
５２，５２Ａ    空気層
５４    第１の支持体
５６    第２の支持体
５８    音孔
６０    隔壁
６２    音路
６４    連結板
６６    伝達部
６６ａ    第１の端部
６６ｂ    第２の端部
【図１】
2018070399.tif 000003
【図２】
2018070399.tif 000004
【図３】
2018070399.tif 000005
【図４】
2018070399.tif 000006
【図５】
2018070399.tif 000007
【図６】
2018070399.tif 000008
【図７】
2018070399.tif 000009
【図８】
2018070399.tif 000010
【図９】
2018070399.tif 000011
【図１０】
2018070399.tif 000012
【図１１】
2018070399.tif 000013
【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
平板状の振動板と、
前記振動板の裏面に取り付けられ、前記振動板を振動させるための駆動部と、
前記振動板の外周部を周方向に亘って固定する固定部材と、
前記固定部材よりも径方向内側に配置され、前記振動板の前記裏面および前記固定部材に周方向に亘って固定され、前記固定部材よりも硬さの値が小さいおよび／または内部損失の値が大きい第１の支持部材と、
前記第１の支持部材よりも径方向内側に配置され、前記振動板の前記裏面および前記固定部材に周方向に亘って固定され、前記第１の支持部材よりも硬さの値が小さいおよび／または内部損失の値が大きい第２の支持部材と、を備える、
平板スピーカ。
【請求項２】
平板状の振動板と、
前記振動板の裏面に取り付けられ、前記振動板を振動させるための駆動部と、
前記振動板の外周部を周方向に亘って固定する固定部材と、
前記固定部材よりも径方向内側に配置されるとともに、前記振動板の前記裏面および前記固定部材に周方向に並んで配置され、前記裏面に接触して前記振動板を支持する第１の支持部材と、
前記第１の支持部材よりも径方向内側に配置されるとともに、前記振動板の前記裏面の周方向に並んで配置され、前記裏面および前記固定部材に接触して前記振動板を支持し、前記第１の支持部材と前記裏面との接触面積よりも前記裏面との接触面積が小さい第２の支持部材と、
を備える、
平板スピーカ。
【請求項３】
前記平板スピーカは、さらに、前記振動板の振動が大きくなる腹に対応する位置に配置され、前記振動板の前記裏面を支持する第３の支持部材を備える、
請求項１又は２に記載の平板スピーカ。
【請求項４】
前記第１の支持部材および前記第２の支持部材の各々は、前記振動板の前記裏面の全周に亘って連続的に延びている、
請求項１に記載の平板スピーカ。
【請求項５】
前記第１の支持部材は、前記振動板の前記裏面の周方向に並んで配置されるとともに、それぞれが前記固定部材の内周部から先細り状に延びる複数の第１の支持体を有し、
前記第２の支持部材は、前記複数の第１の支持体の各々の先端からそれぞれ先細り状に延びる複数の第２の支持体を有する、
請求項２に記載の平板スピーカ。
【請求項６】
前記固定部材は、
箱形状を有し、前記駆動部、前記第１の支持部材、および前記第２の支持部材を内部に配置する筐体と、
前記筐体に形成され、前記筐体の内部と外部とを連通する音孔と、を有し、
前記平板スピーカは、さらに、前記筐体の内部に配置され、前記駆動部で発生した音を前記音孔に導くための音路を形成する隔壁を備える、
請求項１〜５のいずれか１項に記載の平板スピーカ。
【請求項７】
前記平板スピーカは、さらに、前記振動板と前記駆動部との間に挟持され、空気層を有する断熱部材を備える、
請求項１〜６のいずれか１項に記載の平板スピーカ。
【請求項８】
前記断熱部材は、
前記振動板の前記裏面に接触する第１の断熱板と、
前記第１の断熱板と間隔を置いて配置され、前記駆動部に接触する第２の断熱板と、
前記第１の断熱板と前記第２の断熱板とを接続し、前記第１の断熱板と前記第２の断熱板との間に前記空気層を形成するための接続部と、を備え、
前記第１の断熱板、前記第２の断熱板、および前記接続部は、互いに異なる材料で形成されている、
請求項７に記載の平板スピーカ。
【請求項９】
前記駆動部は複数設けられ、
前記平板スピーカは、さらに、
前記複数の駆動部を連結する連結板と、
前記連結板に第１の接触面積で接触する第１の端部と、前記振動板に前記第１の接触面積よりも小さい第２の接触面積で接触する第２の端部とを有し、前記連結板と前記振動板との間に挟持された伝達部と、を備える、
請求項１〜８のいずれか１項に記載の平板スピーカ。
【請求項１０】
請求項１〜９のいずれか１項に記載の平板スピーカを備える、
表示装置。
【国際調査報告】
2018070399.tif 000014
2018070399.tif 000015
2018070399.tif 000016
2018070399.tif 000017